(57)【要約】【課題】サラウンドシステムの一部のスピーカを表示装置のスピーカで代用するシステムにおいて、システム全体の音声出力に係る調整量の調整を簡単に行えるようにする。【解決手段】オーディオシステム２の制御装置２０４は、テレビ受信機１に搭載されたスピーカからの音声出力と共にオーディオシステム２のスピーカからの音声出力を制御する。制御装置２０４は、単一の機器に対する操作に基づいて、テレビ受信機１に搭載のスピーカ及びオーディオシステム２が備えるスピーカの両方の音声出力に係る調整量を１ステップ上げ下げする第１のコマンド、またはテレビ受信機１に搭載のスピーカ及びオーディオシステム２が備えるスピーカのいずれか一方の調整量を１ステップ上げ下げする第２のコマンドを受信し、受信したコマンドに基づいて、当該制御装置２０４の制御及び／またはテレビ受像機１への制御信号の送信を行う。【選択図】図３
2017076935.tif 000002
【特許請求の範囲】
【請求項１】
表示装置に搭載されたスピーカからの音声出力と共に外部スピーカからの音声出力を制御可能な音声出力制御装置であって、
単一の機器に対する操作に基づいて、前記スピーカ及び前記外部スピーカの両方の音声出力に係る調整量を上げ又は下げる第１のコマンドと、前記スピーカ及び前記外部スピーカのいずれか一方の前記調整量を上げ又は下げる第２のコマンドを受信する制御部を備え、
該制御部は、受信した前記第１のコマンドまたは前記第２のコマンドに基づいて、当該音声出力制御装置の制御及び／または前記表示装置への制御信号の送信を行うことを特徴とする音声出力制御装置。
【請求項２】
前記制御部は、第１のコマンド及び第２のコマンドを、前記外部スピーカ用のリモコンから受信することを特徴とする請求項１に記載の音声出力制御装置。
【請求項３】
前記制御部は、前記第１のコマンド及び前記第２のコマンドを、携帯端末から無線通信により受信することを特徴とする請求項１に記載の音声出力制御装置。
【請求項４】
前記制御部は、前記第１のコマンド及び前記第２のコマンドを、前記表示装置のリモコンから前記表示装置を介して受信することを特徴とする請求項１に記載の音声出力制御装置。
【請求項５】
前記第１のコマンド及び前記第２のコマンドは一旦携帯端末から無線通信により前記表示装置に送信され、前記制御部は、前記第１のコマンド及び前記第２のコマンドを、前記携帯端末から前記表示装置を介して受信することを特徴とする請求項１に記載の音声出力制御装置。
【請求項６】
前記調整量を上げ又は下げる量は、調整量全体を予め分割した１つの単位量に基づく量であることを特徴とする請求項１〜５のいずれか１項に記載の音声出力制御装置。
【請求項７】
前記調整量は、音量レベルであることを特徴とする請求項１〜６のいずれか１項に記載の音声出力制御装置。
【請求項８】
前記調整量は、所定の周波数帯域の音声の強調レベルであることを特徴とする請求項１〜６のいずれか１項に記載の音声出力制御装置。
【請求項９】
前記スピーカ及び前記外部スピーカは共に左スピーカと右スピーカを含み、前記調整量は、前記左スピーカと前記右スピーカのいずれか一方の音量レベルであることを特徴とする請求項１〜６のいずれか１項に記載の音声出力制御装置。
【請求項１０】
前記スピーカと前記外部スピーカとによりサラウンドシステムを構成していることを特徴とする請求項１〜９のいずれか１項に記載の音声出力制御装置。
【発明の詳細な説明】
【技術分野】
【０００１】
本発明は、音声出力制御装置に関し、特に、外部スピーカの音声出力と共に、スピーカを有する表示装置の該スピーカからの音声出力も制御可能な音声出力制御装置に関する。
【背景技術】
【０００２】
テレビの視聴環境の質を向上させるための１つの方法として、音声のサラウンド化がある。テレビが内蔵するスピーカ以外のスピーカすなわち外部スピーカを使用してサラウンドシステムを構築し、外部スピーカとして音声特性の良いものを使用することによって、より迫力があり、繊細な音をテレビ視聴時に楽しむことができる。このようなサラウンドシステムのため、種々の機器が製品化されている。
また、サラウンドシステムの一部のスピーカをテレビのスピーカで代用する技術も提案されている。
【０００３】
特許文献１には、テレビと外部スピーカであるサウンドバーとの両方の音量を１つのリモコン装置で調整することが可能なテレビが開示されている。サウンドバーは、外観がバー形状のアンプ内蔵スピーカ装置である。特許文献１のテレビは、テレビ／サウンドバー同期モードが無効の場合、テレビのスピーカから音声を出力し、また、リモコンの音量アップキーが操作されると、音声データを音量アップ調整し、テレビのスピーカからの音量をアップする。また、一方、テレビ／サウンドバー同期モードが有効の場合、特許文献１のテレビは、該テレビのスピーカをミュートし、サウンドバーのスピーカから音声を出力させるようになっており、また、リモコンの音量アップキーが操作されると、音声シリアル通信規格のフォーマットで、音声アップの制御コードをサウンドバーに送信し、サウンドバーからの音量をアップさせる。
【０００４】
また、特許文献２には、音量レベルの調整技術に係り、カーオーディオにてフロント外部入力端子を介して接続されたポータブルオーディオプレーヤから入力された音声を出力する場合でも煩雑な操作なしで最適な音量レベルに自動調整して出力する技術が開示されている。この技術では、カーオーディオの本体部にポータブルオーディオプレーヤから再生音声信号を入力し、再生音声信号を周波数軸上の波形に変換し、該波形が示す入力電圧レベルと、本体部で予め設定された基準電圧レベルとを比較し、その比較結果に応じて本体部を介して出力すべき再生音声信号に基づく音声の音量レベルを制御する。
【先行技術文献】
【特許文献】
【０００５】
【特許文献１】特開２００３−８７９６１号公報
【発明の開示】
【発明が解決しようとする課題】
【０００６】
サラウンドシステムの一部のスピーカをテレビのスピーカで代用するシステムにおいて、サラウンドシステム全体の音量を上げ下げする場合、サラウンドシステム用のリモコンを操作することにより、テレビのスピーカと外部スピーカとの両方の音量レベルを上げ下げできれば便利である。この場合、音量レベルの上げ下げは例えば１ステップずつ行われる。
【０００７】
しかし、１ステップ当たりの音量変化量は、テレビの機種によって異なり、また、テレビと外部スピーカとでは異なる。数ステップであれば、すなわち音量を変える幅が小さければ違和感がないが、音量を大幅に変えるとテレビのスピーカと外部スピーカとの音量差が大きくなり、違和感が大きくなることがある。
そのため、サラウンドシステムの一部のスピーカをテレビのスピーカで代用するシステムにおいて、通常の音量の若干の調整は手間無く行え、音量を大きく変えたときの音量差の修正も簡単に行える技術が求められている。
音量レベル以外の音声出力に係る調整量、例えば低音域の強調レベルなどの音質に係る調整量についても同様である。
特許文献１及び２は、サラウンドシステムの一部のスピーカをテレビのスピーカで代用するシステムに係るものではなく、上述のシステム全体の音声出力に係る調整量を調節する点に関し何ら開示も示唆もしていない。
【０００８】
本発明は、上述のような実情に鑑みてなされたものであり、サラウンドシステムの一部のスピーカを表示装置のスピーカで代用するシステムにおいて、システム全体の音声出力に係る調整量の調整を簡単に行えるようにすることをその目的とする。
【課題を解決するための手段】
【０００９】
上記課題を解決するために、本発明の第１の技術手段は、表示装置に搭載されたスピーカからの音声出力と共に外部スピーカからの音声出力を制御可能な音声出力制御装置であって、単一の機器に対する操作に基づいて、前記スピーカ及び前記外部スピーカの両方の音声出力に係る調整量を上げ又は下げる第１のコマンドと、前記スピーカ及び前記外部スピーカのいずれか一方の前記調整量を上げ又は下げる第２のコマンドを受信する制御部を備え、該制御部が、受信した前記第１のコマンドまたは前記第２のコマンドに基づいて、当該音声出力制御装置の制御及び／または前記表示装置への制御信号の送信を行うことを特徴としたものである。
【００１０】
本発明の第２の技術手段は、第１の技術手段において、前記制御部が、第１のコマンド及び第２のコマンドを、前記外部スピーカ用のリモコンから受信することを特徴としたものである。
【００１１】
本発明の第３の技術手段は、第１の技術手段において、前記制御部が、前記第１のコマンド及び前記第２のコマンドを、携帯端末から無線通信により受信することを特徴としたものである。
【００１２】
本発明の第４の技術手段は、第１の技術手段において、前記制御部が、前記第１のコマンド及び前記第２のコマンドを、前記表示装置のリモコンから前記表示装置を介して受信することを特徴としたものである。
【００１３】
本発明の第５の技術手段は、第１〜第４のいずれか１の技術手段において、前記第１のコマンド及び前記第２のコマンドが一旦携帯端末から無線通信により前記表示装置に送信され、前記制御部が、前記第１のコマンド及び前記第２のコマンドを、前記携帯端末から前記表示装置を介して受信することを特徴としたものである。
【００１４】
本発明の第６の技術手段は、第１〜第５のいずれか１の技術手段において、前記調整量を上げ又は下げる量が、調整量全体を予め分割した１つの単位量に基づく量であることを特徴としたものである。
【００１５】
本発明の第７の技術手段は、第１〜第６のいずれか１の技術手段において、前記調整量が、音量レベルであることを特徴としたものである。
【００１６】
本発明の第８の技術手段は、第１〜第６のいずれか１の技術手段において、前記調整量が、所定の周波数帯域の音声の強調レベルであることを特徴としたものである。
【００１７】
本発明の第９の技術手段は、第１〜第６のいずれか１の技術手段において、前記スピーカ及び前記外部スピーカは共に左スピーカと右スピーカを含み、前記調整量が、前記左スピーカと前記右スピーカのいずれか一方の音量レベルであることを特徴としたものである。
【００１８】
本発明の第１０の技術手段は、第１〜第９のいずれか１の技術手段において、前記スピーカと前記外部スピーカとによりサラウンドシステムを構成していることを特徴としたものである。
【発明の効果】
【００１９】
本発明によれば、サラウンドシステムの一部のスピーカを表示装置のスピーカで代用するシステムにおいて、システム全体の音声出力に係る調整量の調整を簡単に行うことができる。
【図面の簡単な説明】
【００２０】
【図１】本発明の第１の実施形態に係る音声出力制御装置を含む映像音声再生システムの一例を示す図である。
【図２】図１の映像音声再生システムにおけるスピーカ群を説明する図である。
【図３】図１のテレビ受信機及びオーディオシステムの音声出力に係る部分の構成例を示すブロック図である。
【図４】図３のオーディオシステム用のリモコンの一例の外観図である。
【図５】テレビ受信機及び外部スピーカの音圧レベルと音量レベルの関係を示す図である。
【図６】本発明の第３の実施形態に係るテレビ受信機及びオーディオシステムの構成例を示すブロック図である。
【図７】本発明の第５の実施形態に係る音声出力制御装置を説明するための図である。
【図８】本発明の第６の実施形態に係る音声出力制御装置を説明するための図である。
【発明を実施するための形態】
【００２１】
以下、図面を参照しながら、本発明の音声出力制御装置の好適な実施形態について説明する。なお、以下の発明において、異なる図面においても同じ符号を付した構成は同様のものであるとして、その説明を省略する。
【００２２】
（第１の実施形態）
図１は、本発明の第１の実施形態に係る音声出力制御装置を含む映像音声再生システムの一例を示す図である。
図の映像音声再生システム１０は、本発明に係る「表示装置」の一例であるテレビ受信機１のＨＤＭＩ（登録商標。以下同様。）（High Definition Multimedia Interface）入力端子とオーディオシステム２の制御装置２０４のＨＤＭＩ出力端子とをＨＤＭＩケーブル４で接続し、さらにオーディオシステム２の制御装置２０４のＨＤＭＩ入力端子とレコーダ３００の出力端子とをＨＤＭＩケーブル５で接続し、ＡＶ信号などの授受を行い、映像や音声の再生を行う。
【００２３】
テレビ受信機１は、放送番組を直接受信して再生することができるとともにＨＤＭＩケーブル４，５を介して外部機器から入力されたＡＶ信号を基に番組を再生することができるものである。
オーディオシステム２は、ＨＤＭＩケーブル４，５を介して入力された音声信号を基に音声を再生することができるものである。オーディオシステム２は、本発明の「音声出力制御装置」の一例である制御装置２０４によって左フロントスピーカ２０１と右フロントスピーカ２０２と後述のサブウーファを制御することにより音声を出力する。なお、テレビ受信機で受信した番組の音声をオーディオシステム２で再生する場合、ＨＤＭＩケーブル４はＡＲＣ（Audio Return Channel）対応であることが好ましい。
また、レコーダ３は、放送番組のＡＶ信号を直接受信して記録、再生することができるとともに、再生されたＡＶ信号をＨＤＭＩケーブル４，５を介して外部に出力できるものである。
【００２４】
図２は、図１の映像音声再生システム１０におけるスピーカ群を説明する図である。
図の映像音声再生システム１０は、テレビ受信機１が有する内蔵スピーカとして左スピーカ１０１及び右スピーカ１０２を備え、テレビ受信機１の外部スピーカとして、左フロントスピーカ２０１、右フロントスピーカ２０２及びウーファ２０３を備える。映像音声再生システム１０は、左フロントスピーカ２０１、右フロントスピーカ２０２及びウーファ２０３からなる２．１ｃｈのサラウンドシステムにテレビ受信機１のスピーカ１０１，１０２をセンタスピーカとして加えた３．１ｃｈのサラウンドシステムとして機能することができる。
【００２５】
なお、映像音声再生システム１０は、上述のスピーカ群による音声出力と共にテレビ受信機１で映像出力を行う映像音声再生システムであるが、本発明は、テレビ受信機１のスピーカ１０１，１０２をセンタスピーカとして用いる３．１ｃｈモード（以下、テレビ利用３．１ｃｈモード）における音声出力に関するものであるため、以下では、映像出力に関する説明やその他のモードにおける動作の説明は省略することがある。
【００２６】
図３は、テレビ受信機１及びオーディオシステム２の音声出力に係る部分の構成例を示すブロック図である。図２のウーファ２０３の図示は省略している。
テレビ受信機１は、左スピーカ１０１及び右スピーカ１０２からの音声出力を制御する本体部１０３を備え、該本体部１０３は、マイクロコンピュータ（以下、マイコン）１０４、ＨＤＭＩ入力インタフェース（Ｉ／Ｆ：Interface）１０５、放送受信部１０６、アナログＩ／Ｆ１０７、ネットワークＩ／Ｆ１０８、入力セレクタ１０９、デコーダ１１０、音声処理部１１１、アンプ１１２、受光部１１３を有する。
【００２７】
マイコン１０４は、本体部１０３全体を制御するものである。
【００２８】
ＨＤＭＩ入力Ｉ／Ｆ１０５は、ＨＤＭＩケーブル４を介して制御装置２０４との間で双方向のデータ伝送を行うためのものである。このＨＤＭＩ入力Ｉ／Ｆ１０５を介して音声信号を制御装置２０４から受信し出力することができる。また、ＨＤＭＩ入力Ｉ／Ｆ１０５を通じ、本体部１０３と制御装置２０４との間で制御信号のやり取りを行うことができる。制御信号のやりとりはＣＥＣ（Consumer Electronics Control）コマンドにより行われる。
【００２９】
放送受信部１０６は、不図示のアンテナによって受信された放送信号から所望の周波数のチャンネルを選局し、復調処理を行い、復調した信号から音声信号を分離して出力する。なお、受信される放送信号は、地上デジタル放送、ＢＳデジタル放送、１１０度ＣＳデジタル放送等である。
【００３０】
アナログＩ／Ｆ１０７は、外部機器で得られる左右のアナログ音声信号が入力され、該アナログ音声信号を出力するものである。アナログＩ／Ｆ１０７から出力されたアナログ音声信号は不図示のＡ／Ｄ変換機によりデジタルの音声信号に変換され入力セレクタ１０９に入力される。
【００３１】
ネットワークＩ／Ｆ１０８は、該Ｉ／Ｆ１０８に接続された不図示のネットワークケーブルを介してネットワークに接続し、該ネットワークに接続される各種装置との間でデータの送受信を実行する。ネットワークＩ／Ｆ１０８は、入力セレクタ１０９に音声信号を入力する。
【００３２】
入力セレクタ１０９は、ＨＤＭＩ入力Ｉ／Ｆ１０５、放送受信部１０６、アナログＩ／Ｆ１０７、ネットワークＩ／Ｆ１０８のいずれを介して入力された音声信号に基づいてテレビ受信機１で音声出力を行うかを選択するものであり、上記のいずれか１つから入力された音声信号をデコーダ１１０に出力する。上記のいずれの音声信号を出力するかはマイコン１０４により制御される。
【００３３】
デコーダ１１０は、入力セレクタ１０９を介して入力された音声信号を復号する。復号の方法は、入力元に応じてマイコン１０４により決定される。
【００３４】
音声処理部１１１は、デコーダ１１０により復号された音声信号に対し、イコライザ処理やＤ／Ａ変換処理等の音声処理を行う。上記イコライザ処理は、周波数帯域毎にゲインを増減して音質をコントロールする処理であり、低音を増幅する低音増強処理や高音を増幅する高音増幅処理を含む。音声処理部１１１での音声処理方法はマイコン１０４により制御される。
【００３５】
アンプ１１２は、音声処理部１１１から出力されるアナログの音声信号を増幅して左スピーカ１０１及び右スピーカ１０２に出力する。左スピーカ１０１及び右スピーカ１０２では、入力された音声信号に基づいて音声出力を行なう。
【００３６】
受光部１１３は、オーディオシステム２用のリモコン６からの操作信号（赤外線）を受信し、受信した操作信号を電気信号に変換してマイコン１０４に入力する。
【００３７】
オーディオシステム２は、左フロントスピーカ２０１、右フロントスピーカ２０２及びウーファ２０３（図２参照）からの音声出力を制御する制御装置２０４を備える。この制御装置２０４は、テレビ利用３．１ｃｈモードではテレビ受信機１からの音声出力も制御することができる。
【００３８】
制御装置２０４は、マイコン２０５、ＨＤＭＩ入力Ｉ／Ｆ２０６、デジタルＩ／Ｆ２０７、アナログＩ／Ｆ２０８、入力セレクタ２０９、デコーダ２１０、音声処理部２１１、アンプ２１２、ＨＤＭＩ出力Ｉ／Ｆ２１３、ＷｉＦｉ（登録商標；以下同様）  Ｉ／Ｆ２１４、受光部２１５を有する。
【００３９】
マイコン２０５は、制御装置２０４全体を制御するものであり、本発明の「制御部」に該当するものの一例である。
【００４０】
ＨＤＭＩ入力Ｉ／Ｆ２０６は、外部機器からＨＤＭＩケーブルを介して送信されてくる音声信号を受信し、入力セレクタ２０９に出力する。
【００４１】
デジタルＩ／Ｆ２０７は、光ケーブルを通じてデジタル光信号の音声信号を受信し、入力セレクタ２０９に出力する
【００４２】
アナログＩ／Ｆ２０８は、外部機器で得られる左右のアナログ音声信号が入力され、該アナログ音声信号を出力するものである。アナログＩ／Ｆ２０８から出力されたアナログ音声信号は不図示のＡ／Ｄ変換機によりデジタルの音声信号に変換され入力セレクタ２０９に入力される。
【００４３】
入力セレクタ２０９は、ＨＤＭＩ入力Ｉ／Ｆ２０６、デジタルＩ／Ｆ２０７、アナログＩ／Ｆ２０８のいずれを介して入力された音声信号に基づいて音声出力を行うかを選択するものであり、上記のいずれか１つから入力された音声信号をデコーダ２１０に出力する。上記のいずれの音声信号を出力するかはマイコン２０５により制御される。
【００４４】
デコーダ２１０は、入力セレクタ２０９を介して入力された音声信号を復号する。復号の方法は、入力元に応じてマイコン２０５により決定される。
【００４５】
音声処理部２１１は、デコーダ２１０により復号された音声信号に対し、サラウンド処理やイコライザ処理、Ｄ／Ａ変換処理等の音声処理を行う。上記イコライザ処理は、音声処理部１１１におけるものと同様に、周波数帯域毎にゲインを増減して音質をコントロールする処理であり、低音を増幅する低音増強処理や高音を増幅する高音増幅処理を含む。
【００４６】
アンプ２１２は、音声処理部２１１から出力されるアナログの音声信号を増幅して左フロントスピーカ２０１、右フロントスピーカ２０２及びウーファ２０３に出力する。左フロントスピーカ２０１、右フロントスピーカ２０２及びウーファ２０３では、入力された音声信号に基づいて音声出力を行なう。
【００４７】
ＨＤＭＩ出力Ｉ／Ｆ２１３は、音声処理部２１１により音声処理された音声信号とマイコンからの制御信号とをテレビ受信機１に出力する。なお、ＨＤＭＩ出力Ｉ／Ｆ２１３は、テレビ受信機１から音声信号と制御信号を受信することもできる。
【００４８】
ＷｉＦｉ  Ｉ／Ｆ２１４は、ＷｉＦｉの規格に準拠した無線通信により携帯端末等と通信するためのものである。
【００４９】
受光部２１５は、オーディオシステム用のリモコン６とは異なるリモコン７（後述の図６参照）からの操作信号（赤外線）を受信し、受信した操作信号を電気信号に変換してマイコン２０５に入力する。
【００５０】
以上のオーディオシステム２では、テレビ利用３．１ｃｈモードの場合、音声処理部２１１により音声処理された音声信号のうち、センタスピーカ用の音声信号以外の音声信号はアナログ信号の形態でアンプ２１２に入力されるが、センタスピーカ用の音声信号はデジタル信号の形態でＨＤＭＩ出力Ｉ／Ｆ２１３及びＨＤＭＩケーブル４を介して、テレビ受信機１の本体部１０３のＨＤＭＩ入力Ｉ／Ｆに入力される。また、テレビ利用３．１ｃｈモードの場合、音声処理部２１１からのセンタスピーカ用の音声信号と共に、テレビ利用３．１ｃｈモードの動作を行なうよう制御信号がマイコン２０５からＨＤＭＩ出力Ｉ／Ｆ２１３を介してテレビ受信機１の本体部１０３に入力される。
【００５１】
本体部１０３に入力された制御信号はマイコン１０４に入力され、このマイコン１０４の制御の下、テレビ受信機１では、ＨＤＭＩ入力／Ｉ／Ｆ１０５からのセンタスピーカ用音声信号が、入力セレクタ１０９からデコーダ１１０へ入力され、該デコーダ１１０により復号され、音声処理部１１１により音声処理が行なわれ、アンプ１１２により増幅され、該増幅された音声信号に基づいて各スピーカ１０１，１０２から音声出力される。
このようにして、テレビ利用３．１ｃｈモードでセンタスピーカ用の音声信号に基づく音声出力がテレビ受信機１により行なわれる。
【００５２】
そして、テレビ利用３．１ｃｈモードでは、オーディオシステム２の音量レベル等の調整量の調整だけでなくテレビ受信機１の上記調整量の調整についても、オーディオシステム２用のリモコン６を用いて行なうことができる。
【００５３】
図４は、オーディオシステム２用のリモコン６の一例の外観図である。
リモコン６は、各種操作信号（コマンド）が割り当てられたボタンを有し、オーディオシステム２及びテレビ受信機１をＴＶ利用３．１ｃｈモードで動作させるためのコマンドが割り当てられた「３．１ｃｈ」ボタン６１を有する。
また、リモコン６は、ＴＶ利用３．１ｃｈモードにおいてオーディオシステム２のスピーカ及びテレビ受信機１のスピーカの両方の音量レベルを１ステップ上げる、または下げるための第１のコマンドが割り当てられた音量「＋」ボタン６２及び音量「−」ボタン６３を有する。
さらに、リモコン６は、ＴＶ利用３．１ｃｈモードにおいてテレビ受信機１のスピーカの音量レベルを１ステップ上げる、または下げるための第２のコマンドが割り当てられたセンタースピーカーレベル「＋」ボタン６４及びセンタースピーカーレベル「−」ボタン６５を有する。
【００５４】
リモコン６の「３．１ｃｈ」ボタン６１が操作され、オーディオシステム２のマイコン２０５が受光部２１５を介して上記ボタン６１に対応する操作信号を受信すると、マイコン２０５は、音声処理部２１１を制御したり、音声信号及び制御信号をＨＤＭＩ出力Ｉ／Ｆ２１３を介してテレビ受信機１に出力したりすることで、ＴＶ利用３．１ｃｈモードでの音声出力を開始する。
【００５５】
ＴＶ利用３．１ｃｈモードで動作中にリモコン６の音量「＋」ボタン６２が操作され、マイコン２０５が受光部２１５を介して上記ボタン６２に対応する第１のコマンドを受信すると、マイコン２０５は、アンプ２１２を制御し、左フロントスピーカ２０１、右フロントスピーカ２０２及びウーファ２０３からの音声出力の音量レベルを１ステップ上げる。それと同時に、マイコン２０５は、音量レベルを１ステップ上げるよう指示する制御信号をＨＤＭＩ出力Ｉ／Ｆ２１３を介してテレビ受信機１に出力する。テレビ受信機１のマイコン１０４は、ＨＤＭＩ入力Ｉ／Ｆ１０５を介して入力された上記制御信号に基づいて、アンプ１１２を制御し、左スピーカ１０１及び右スピーカ１０２からの音声出力の音量レベルを１ステップ上げる。
音量「−」ボタン６３が操作されたときの動作は、音量「＋」ボタン６２が操作されたときと、音量レベルを上げるか下げるかが違うのみで、同様である。
【００５６】
ＴＶ利用３．１ｃｈモードで動作中にリモコン６のセンタースピーカーレベル「＋」ボタン６４が操作され、マイコン２０５が受光部２１５を介して上記ボタン６４に対応する第２のコマンドを受信すると、マイコン２０５は、音量レベルを１ステップ上げるよう指示する制御信号をＨＤＭＩ出力Ｉ／Ｆ２１３を介してテレビ受信機１に出力する。テレビ受信機１のマイコン１０４は、ＨＤＭＩ入力Ｉ／Ｆ１０５を介して入力された上記制御信号に基づいて、アンプ１１２を制御し、左スピーカ１０１及び右スピーカ１０２からの音声出力の音量レベルを１ステップ上げる。
センタースピーカーレベル「−」ボタン６５が操作されたときの動作は、センタースピーカーレベル「＋」ボタン６４が操作されたときと、音量レベルを上げるか下げるかの違うのみで、同様である。
【００５７】
このように、制御装置２０４のマイコン２０５が、オーディオシステム２とテレビ受信機１の音量レベルを同時に１ステップ上げ下げするための第１のコマンドと、テレビ受信機１の音量レベルのみを上げ下げするための第２のコマンドを受信し、これらコマンドに基づいて制御を行うことにより、以下の効果がある。
【００５８】
図５は、所定の音声信号を二つのテレビＡ、テレビＢ及びサラウンドシステム用の外部スピーカに入力したときに所定位置で観測される音圧レベルと音量レベルの関係を示す図である。なお、テレビＡとテレビＢは共にスピーカを有するが、互いに機種は異なる。また、音量レベルの総ステップ数は１００でテレビＡ、テレビＢ及びサラウンドシステム用の外部スピーカで共通である。
【００５９】
図示するように、テレビＡと外部スピーカとの間では音圧レベルと音量レベルとの関係は異なり、テレビＢと外部スピーカとの間でも異なり、さらに、テレビＡとテレビＢとの間でも異なる。
ここで、テレビＡと外部スピーカについてそれぞれの音量ステップを３０としたときに所定位置すなわち視聴位置での音圧レベルが６０ｄＢになるようにテレビＡや外部スピーカの位置を調整したとする。この場合において、上述の第１のコマンドのように、テレビＡと外部スピーカの両方の音量レベルを調整すると、調整幅が小さい場合、例えば、音量レベルをステップ３０から数ステップ上げる場合、視聴位置でのテレビＡからの音声出力の音圧と外部スピーカからの音声出力との音圧差が小さいため、違和感がない。一方、音量レベルの調整幅が大きい場合、例えば、両方の音量レベルをステップ３０からステップ５０に上げる場合、視聴位置で大きな音圧差が生じるため、違和感が大きくなる。この違和感は上述の第２のコマンドを用いて修正することができる。
【００６０】
このように、上述の第１のコマンドと第２のコマンドを用いることで、ＴＶ利用３．１ｃｈモードの適切な音量調整を簡単に行うことができる。
【００６１】
なお、以上の説明では、音声処理部２１１で音声処理した後の音声信号がテレビ受信機１に入力されるようにしていたが、音声処理部２１１で音声処理せずに、デコーダ２１０で復号した音声信号がテレビ受信機１に入力されるようにしてもよい。この場合、音声処理部２１１ですべき音声処理は、テレビ受信機１の音声処理部１１１により行なわれる。
【００６２】
（第２の実施形態）
第１の実施形態では、オーディオシステム２のマイコン２０５が、上述の第１のコマンド及び第２のコマンドを、該オーディオシステム２のリモコン６から受光部２１５を介して受信していた。それに対し、第２の実施形態では、上述の第１のコマンド及び第２のコマンドは、携帯端末からＷｉＦｉ  Ｉ／Ｆ２１４を介して受信する。携帯端末は、例えば、第１のコマンド及び第２のコマンドに応じたボタンを該端末の表示部に表示し、該表示したボタンに対する操作に応じて第１のコマンドまたは第２のコマンドをオーディオシステム２に送信する。
【００６３】
（第３の実施形態）
図６は、本発明の第３の実施形態に係るテレビ受信機及びオーディオシステムの構成例を示すブロック図である。
図６のオーディオシステム２´のマイコン２０５´は、上述の第１のコマンド及び第２のコマンドを、テレビ受信機１´から受信する。
より具体的には、以下の通りである。
すなわち、テレビ受信機１´の不図示の表示部に、第１のコマンドに対応する操作ボタンと第２のコマンドに対応する操作ボタンとが設けられた表示画面を表示し、該表示画面に対する操作に応じて、第１のコマンドまたは第２のコマンドは一旦テレビ受信機１´のマイコン１０４´に入力される。そして、テレビ受信機１´のマイコン１０４´は、第１のコマンドまたは第２のコマンドに応じてアンプ１１２の制御をするのではなく、これらコマンドをＨＤＭＩ入力Ｉ／Ｆ１０５を介してオーディオシステム２´のマイコン２０５´に送信し、該マイコン２０５から上記コマンドに応じて送信される制御信号を、ＨＤＭＩ出力Ｉ／Ｆ２１４及びＨＤＭＩ入力Ｉ／Ｆ１０５を介して受信し、該制御信号に基づいてアンプ１１２を制御し音量レベルを上げ下げする。
【００６４】
なお、テレビ受信機１´は、レコーダ３（図１参照）に記録された映像音声データを再生する場合、音声信号と映像信号は共にオーディオシステム２の制御装置２０４´を介して入力される。このようにオーディオシステム２は映像信号を送信する機能を有しているので、第１のコマンドに対応する操作ボタン等が設けられた表示画面は、ＯＳＤ（On Screen Display）画面として、オーディオシステム２からＨＤＭＩケーブル４を介してテレビ受信機１´に送信することで該受信機１´で表示することができる。
【００６５】
また、上記表示画面の第１のコマンドに対応する操作ボタンに対する操作は、テレビ受信機１´のリモコン７を用いて行うことができ、該操作は受光部１１３により検知され操作信号としてマイコン１０４´に入力される。
【００６６】
（第４の実施形態）
第２の実施形態では、第１のコマンド及び第２のコマンドは携帯端末から直接オーディオシステムに送信される。
それに対し、第４の実施形態では、テレビ受信機の本体部にＷｉＦｉ  Ｉ／Ｆが設けられており、第１のコマンド及び第２のコマンドは一旦携帯端末から無線通信によりＷｉＦｉ  Ｉ／Ｆを介してテレビ受像機に送信される。
そして、テレビ受像機が受信した第１のコマンドまたは第２のコマンドは一旦テレビ受信機のマイコンに入力される。そして、テレビ受信機のマイコンは、第１のコマンドまたは第２のコマンドに応じてテレビ受信機のアンプの制御をするのではなく、これらコマンドをＨＤＭＩケーブルを介してオーディオシステムのマイコンに送信し、該マイコンから上記コマンドに応じて送信される制御信号を、ＨＤＭＩケーブルを介して受信し、該制御信号に基づいてテレビ受信機のアンプを制御し音量レベルを上げ下げする。
【００６７】
なお、本実施形態において、携帯端末は、例えば、第１のコマンド及び第２のコマンドに応じたボタンを該端末の表示部に表示し、該表示したボタンに対する操作に応じて第１のコマンドまたは第２のコマンドをテレビ受信機に送信する。
【００６８】
（第５の実施形態）
第１〜第４の実施形態では、オーディオシステムのリモコン等の単一の機器から受信する第１のコマンド及び第２のコマンドに応じて、オーディオシステムすなわち外部スピーカとテレビ受信機の両方の音量レベルを調節したり、テレビ受信機のみの音量レベルを調節したりしていた。しかし、本発明は、これに限られず、音量レベル以外の音声出力に係る調整量を調整するようにしてもよい。第５の実施形態では、音量レベルに代えて所定の周波数帯域の音声の強調レベルを調整する。
【００６９】
図７は、本発明の第５の実施形態に係る音声出力制御装置を説明するための図であり、図７（Ａ）は外部スピーカの一般的な周波数特性を示し、図７（Ｂ）は一般的なテレビ受信機のスピーカの周波数特性を示し、図中、実線は、低音増幅処理と高音増幅処理を行った場合の特性を示し、点線は調整後の特性を示す。また、図７（Ａ）と図７（Ｂ）とでは低音増幅処理と高音増幅処理のレベルすなわち所定の周波数帯域の音声の強調レベルは同一である。
【００７０】
外部スピーカの周波数特性は、図７（Ａ）に示すように、低音増幅処理及び高音増幅処理を行うと大きく変化する。それに対し、テレビ受信機のスピーカの周波数特性は、図７（Ｂ）に示すように、低音増幅処理及び高音増幅処理を行ったときの変化は小さい。
したがって、外部スピーカとテレビ受信機について、第１のコマンドに基づいて音量レベルに代えて低音や高音の強調レベルを同ステップ調整したとき、テレビ受信機から所望の音質を得られないことがある。この場合、第２のコマンドに基づいてオーディオシステム側からテレビ受信機のスピーカの低音や高音の強調レベルを調整することでテレビ受信機からも所望の低音感／高音感を得ることができる。
【００７１】
（第６の実施形態）
図８は、本発明の第６の実施形態に係る音声出力制御装置を説明するための図である。
第１の実施形態等では、オーディオシステム２のスピーカとテレビ受信機のスピーカがそれぞれ左右１つずつのスピーカを有しており、第１のコマンドまたは第２のコマンドによる制御対象を、上記左右のうちの両方の音量レベルとしていた。しかし、第６の実施形態では、第１のコマンドまたは第２のコマンドによる制御対象を、左右のうちの両方に代えて、左右のうちのいずれか一方のスピーカの音量レベルとする。
【００７２】
この実施形態は、図８のように、テレビ受信機１の一方の側（図では左側）のみの近くに壁Ｗが存在する状況で好適に用いられる。
オーディオシステム２の左フロントスピーカ２０１及び右フロントスピーカ２０２は、テレビ受信機１の左スピーカ１０１及び右スピーカ１０２より外側に位置することが大きいため、例えばテレビ受信機１の左側が壁Ｗに近いと、壁Ｗからの反射音もあるため、左側からの音量が大きく感じられ、画面に対して音が左によって片寄って聞こえてしまう。これを補正するために、オーディオシステム２の左フロントスピーカ２０１とテレビ受信機１の左スピーカ１０１の音量レベルを下げることで音の定位を補正することがある。
【００７３】
この際、オーディオシステム２の左フロントスピーカ２０１から壁Ｗまでの距離Ｌ２と、テレビ受信機１の左スピーカ１０１から壁Ｗまでの距離Ｌ１とが異なるため、調整すべき音量の量が異なる。
したがって、オーディオシステム側から、左フロントスピーカ２０１と左スピーカ１０１の両方について、第１のコマンドに基づいて音量レベルを調整し、第２のコマンドに基づいて左スピーカ１０１のみの音量レベルを調整することで、適切に音の定位を補正することができる。
【００７４】
以上の実施形態では、第１のコマンド及び第２のコマンドをオーディオシステム側が受信し、該オーディオシステムが、第１のコマンドに基づいて、オーディオシステムのスピーカとテレビ受信機のスピーカの両方の音声出力に係る調整量（例えば、音量レベル）を１ステップ上げ下げし、第２のコマンドに基づいてテレビ受信機のスピーカの上記調整量を１ステップ上げ下げしていた。しかし、第２のコマンドに基づいて上げ下げするのはテレビ受信機のスピーカではなくオーディオシステム側のスピーカであってもよい。
【００７５】
ただし、テレビ受信機のスピーカは３．１ｃｈサラウンドシステムのセンタスピーカに代わるものであり補助的に用いられるものである。そのため、第１のコマンドに基づいてオーディオシステムのスピーカとテレビ受信機のスピーカの両方、つまり３．１ｃｈシステム全体の調整量／制御レベルを調整し、その調整で不具合がある場合に、第２のコマンドに基づいて、補助的なテレビ受信機のスピーカの調整量を微調整することが好ましい。
【００７６】
また、以上の実施形態では、第１のコマンドや第２のコマンドに基づいて上げ下げする音声出力に係る調整量の量は１ステップであったが、複数ステップであってもよい。第１のコマンドや第２のコマンドは、オーディオシステムのスピーカやテレビ受信機のスピーカの上記調整量を所定ステップ上げ下げするためのものであると言える。
なお、１ステップでの変化量は、例えば、上記調整量全体を所定数に予め分割した１つの単位量に基づく量である。
【符号の説明】
【００７７】
１０…映像音声再生システム、１…テレビ受信機、１０１…左スピーカ、１０２…右スピーカ、１０３…本体部、１０４…マイコン、１０５…ＨＤＭＩ入力Ｉ／Ｆ、１０６…放送受信部、１０７…アナログＩ／Ｆ、１０８…ネットワークＩ／Ｆ、１０９…入力セレクタ、１１０…デコーダ、１１１…音声処理部、１１２…アンプ、１１３…受光部、２…オーディオシステム、２０１…左フロントスピーカ、２０２…右フロントスピーカ、２０３…ウーファ、２０４…制御装置、２０５…マイコン、２０６…ＨＤＭＩ入力Ｉ／Ｆ、２０７…デジタルＩ／Ｆ、２０８…アナログＩ／Ｆ。２０９…入力セレクタ、２１０…デコーダ、２１１…音声処理部、２１２…アンプ、２１３…ＨＤＭＩ出力Ｉ／Ｆ、２１４…ＷｉＦｉ  Ｉ／Ｆ、２１５…受光部、３…レコーダ、４…ＨＤＭＩケーブル、５…ＨＤＭＩケーブル、６…リモコン、７…リモコン。
【図１】
2017076935.tif 000003
【図２】
2017076935.tif 000004
【図３】
2017076935.tif 000005
【図４】
2017076935.tif 000006
【図５】
2017076935.tif 000007
【図６】
2017076935.tif 000008
【図７】
2017076935.tif 000009
【図８】
2017076935.tif 000010